【手続補正書】
【提出日】平成24年3月5日(2012.3.5)
【手続補正１】
【補正対象書類名】特許請求の範囲
【補正対象項目名】全文
【補正方法】変更
【補正の内容】
【特許請求の範囲】
【請求項１】
記録媒体を搬送する搬送装置であって、
記録媒体を前記搬送装置の外部へ排出するための排出口と、
記録媒体を前記排出口に向けて搬送し、搬送された記録媒体の一部が前記排出口から前記搬送装置の外部に露出した後、記録媒体の搬送方向を反転させて前記搬送装置内に搬送するように記録媒体の搬送動作を制御する制御手段と、を有し、
前記制御手段は、搬送された記録媒体の一部が前記排出口から前記搬送装置の外部に露出した状態で停止した時の、該記録媒体の露出量に応じて、該記録媒体の除去方法に関する情報を出力することを特徴とする搬送装置。
【請求項２】
前記排出口における記録媒体の露出量を推定する推定手段と、
前記制御手段は、前記推定手段により推定された前記露出量と閾値とを比較する比較手段と、をさらに有し、
推定された前記露出量が前記閾値以上のときに、前記排出口から前記記録媒体を引き抜くよう促す第１メッセージを出力することを特徴とする請求項１に記載の搬送装置。
【請求項３】
前記第１メッセージには、前記搬送装置に設けられているドアの開閉を抑制するためのメッセージが含まれることを特徴とする請求項２に記載の搬送装置。
【請求項４】
搬送方向が反転された記録媒体を搬送する搬送路と、
前記搬送路に搬送される記録媒体の有無を検出する記録媒体検出手段と、をさらに有し、
前記制御手段は、前記記録媒体検出手段が前記記録媒体を検出していなければ、前記第１メッセージを出力することを特徴とする請求項２または３に記載の搬送装置。
【請求項５】
前記制御手段は、前記記録媒体検出手段が前記記録媒体を検出していれば、記録媒体の自動排出を実行するように制御することを特徴とする請求項４に記載の搬送装置。
【請求項６】
前記制御手段は、推定された前記露出量が前記閾値未満のときに、前記搬送装置に設けられたドアを開閉して前記記録媒体を除去するよう促す第２メッセージを出力することを特徴とする請求項２または３に記載の搬送装置。
【請求項７】
前記推定手段は、
記録媒体の搬送方向における長さを測定する測定手段と、
記録媒体の搬送方向を反転するために一旦停止させた該記録媒体を前記搬送装置内に搬送した量を計測する計測手段と、
測定された前記長さと前記搬送した量とから前記露出量を算出する算出手段と、
を有することを特徴とする請求項２ないし６のいずれか１項に記載の搬送装置。
【請求項８】
記録媒体を搬送する搬送装置であって、
記録媒体を前記搬送装置の外部へ排出させるための排出口を有し、搬送された記録媒体の一部が前記排出口から前記搬送装置の外部に露出した状態で停止した時の、該記録媒体の露出量に応じて、該記録媒体の除去方法に関する情報を出力することを特徴とする搬送装置。
【請求項９】
前記排出口における記録媒体の露出量を推定する推定手段と、
前記推定手段により推定された前記露出量と閾値とを比較する比較手段と、をさらに有し、
推定された前記露出量が前記閾値以上のときに、前記排出口から前記記録媒体を引き抜くよう促す第１メッセージを出力することを特徴とする請求項８に記載の搬送装置。
【請求項１０】
前記第１メッセージには、前記搬送装置に設けられているドアの開閉を抑制するためのメッセージが含まれることを特徴とする請求項９に記載の搬送装置。
【請求項１１】
記録媒体に画像を形成する画像形成部と、
前記画像形成部で画像が形成された記録媒体を前記画像形成装置の外部へ排出させるための排出口と、を有し、
搬送された記録媒体の一部が前記排出口から前記搬送装置の外部に露出した状態で停止した時の、該記録媒体の露出量に応じて、該記録媒体の除去方法に関する情報を出力することを特徴とする画像形成装置。
【請求項１２】
前記排出口における記録媒体の露出量を推定する推定手段と、
前記推定手段により推定された前記露出量と閾値とを比較する比較手段と、をさらに有し、
推定された前記露出量が前記閾値以上のときに、前記排出口から前記記録媒体を引き抜くよう促す第１メッセージを出力することを特徴とする請求項１１に記載の画像形成装置。
【請求項１３】
前記第１メッセージには、前記画像形成装置に設けられているドアの開閉を抑制するためのメッセージが含まれることを特徴とする請求項１２に記載の画像形成装置。
【請求項１４】
画像形成装置であって、
記録媒体に画像を形成する画像形成部と、
記録媒体を前記画像形成装置の外部へ排出するための排出口と、
記録媒体を前記排出口に向けて搬送し、搬送された記録媒体の一部が前記排出口から前記搬送装置の外部に露出した後、記録媒体の搬送方向を反転させて前記搬送装置内に搬送するように記録媒体の搬送動作を制御する制御手段と、を有し、
前記制御手段は、搬送された記録媒体の一部が前記排出口から前記搬送装置の外部に露出した状態で停止した時の、該記録媒体の露出量に応じて、該記録媒体の除去方法に関する情報を出力することを特徴とする画像形成装置。
【請求項１５】
前記排出口における記録媒体の露出量を推定する推定手段と、
前記制御手段は、前記推定手段により推定された前記露出量と閾値とを比較する比較手段と、をさらに有し
推定された前記露出量が前記閾値以上のときに、前記排出口から前記記録媒体を引き抜くよう促す第１メッセージを出力することを特徴とする請求項１４に記載の画像形成装置。
【請求項１６】
前記第１メッセージには、前記画像形成装置に設けられているドアの開閉を抑制するためのメッセージが含まれることを特徴とする請求項１５に記載の画像形成装置。
【手続補正２】
【補正対象書類名】明細書
【補正対象項目名】０００８
【補正方法】変更
【補正の内容】
【０００８】
本発明は、例えば、記録媒体を搬送する搬送装置であって、
記録媒体を前記搬送装置の外部へ排出するための排出口と、
記録媒体を前記排出口に向けて搬送し、搬送された記録媒体の一部が前記排出口から前記搬送装置の外部に露出した後、記録媒体の搬送方向を反転させて前記搬送装置内に搬送するように記録媒体の搬送動作を制御する制御手段と、を有し、
前記制御手段は、搬送された記録媒体の一部が前記排出口から前記搬送装置の外部に露出した状態で停止した時の、該記録媒体の露出量に応じて、該記録媒体の除去方法に関する情報を出力することを特徴とする。
【手続補正３】
【補正対象書類名】明細書
【補正対象項目名】０００９
【補正方法】変更
【補正の内容】
【０００９】
また、本発明は、例えば、記録媒体を搬送する搬送装置であって、
記録媒体を前記搬送装置の外部へ排出させるための排出口を有し、搬送された記録媒体の一部が前記排出口から前記搬送装置の外部に露出した状態で停止した時の、該記録媒体の露出量に応じて、該記録媒体の除去方法に関する情報を出力することを特徴とする。
【手続補正４】
【補正対象書類名】明細書
【補正対象項目名】００１０
【補正方法】変更
【補正の内容】
【００１０】
また、本発明は、例えば、
記録媒体に画像を形成する画像形成部と、
前記画像形成部で画像が形成された記録媒体を前記画像形成装置の外部へ排出させるための排出口と、を有し、
搬送された記録媒体の一部が前記排出口から前記搬送装置の外部に露出した状態で停止した時の、該記録媒体の露出量に応じて、該記録媒体の除去方法に関する情報を出力することを特徴とする画像形成装置を提供する。
【手続補正５】
【補正対象書類名】明細書
【補正対象項目名】００１１
【補正方法】変更
【補正の内容】
【００１１】
また、本発明は、例えば、画像形成装置であって、
記録媒体に画像を形成する画像形成部と、
記録媒体を前記画像形成装置の外部へ排出するための排出口と、
記録媒体を前記排出口に向けて搬送し、搬送された記録媒体の一部が前記排出口から前記搬送装置の外部に露出した後、記録媒体の搬送方向を反転させて前記搬送装置内に搬送するように記録媒体の搬送動作を制御する制御手段と、を有し、
前記制御手段は、搬送された記録媒体の一部が前記排出口から前記搬送装置の外部に露出した状態で停止した時の、該記録媒体の露出量に応じて、該記録媒体の除去方法に関する情報を出力することを特徴とする。